【事件の表示】
　平成　９年特許願第１９２１８０号「通信制御装置およびネットワークインタフェース装置および通信制御方法」拒絶査定不服審判事件〔平成１１年　２月１２日出願公開、特開平１１−　３９１０８〕について、次のとおり審決する。
【結　論】
　本件審判の請求は、成り立たない。
【理　由】
１．手続の経緯・本願発明
　本願は、平成９年７月１７日の出願であって、 平成１５年７月１０日付けで拒絶理由が通知され、その指定期間内である平成１５年９月１６日付けで手続補正書が提出され、平成１５年１０月３０日付けで拒絶査定がされ、これに対し、同年１２月１１日に拒絶査定不服審判が請求されたものである。
　
　
　本願の請求項１に係る発明（以下、「本願発明」という。）は、平成１５年９月１６日付け手続補正書の特許請求の範囲の請求項１に記載された事項により特定される、以下のとおりのものである。
　
「ネットワークとの接続を行うインタフェース部と周辺機器との接続を行うインタフェース部とを有し、ネットワークを介してサーバとのデータ通信処理をする通信制御装置であって、
　新しいバージョンのファームウェアを要求する情報要求パケットを、予め内部で保持していたサーバアドレス宛てに組み立てて、前記サーバへ送信する送信手段と、
　前記送信手段による情報要求パケットに応じて前記サーバから転送されるファームウェアを受信する受信手段と、
　前記受信手段により受信されたファームウェアを記憶部に書き込む書き込み手段とを有することを特徴とする通信制御装置。」
　
　
２．引用刊行物
　
　原査定の拒絶の理由に引用された特開平９−１６７０９４号公報（以下、「引用刊行物１」という。）には、図面と共に、
　
「【０００１】
　【発明の属する技術分野】本発明は、１つまたは複数の機能部により多様な処理を行うデータ処理装置、その制御方法、この制御方法を実現するプログラムを格納した記憶媒体、多様な処理を行う画像処理複合装置に関するものである。
【０００２】
【従来の技術】従来より、例えばディジタル複写機に、ファクシミリ機能やコンピュータインタフェース機能を実現するための機能ボードをセットし、多様な処理を可能としたものが知られている。この機能ボードには、該ボードにより実現するための機能を制御するためのファームウエアもしくはソフトウエアのプログラムデータなどが記憶されている。そして、機能アップや機能の変更を行いたい場合には、新たな機能ボードに差し換えるか、サービスマン等による操作で新たなプログラムデータの書き換え作業を行うものである。
【０００３】
【発明が解決しようとする課題】しかしながら、前述の従来例では、機能の追加や変更のために別のボードを用いるとコストに無駄を生じてしまうといった問題がある。
【０００４】また、機能を実現するためのプログラムデータを書き換える場合は、その都度サービスマンが出向く必要があり、非常に手間がかかってしまうといった問題が生じてしまう。
【０００５】また、プログラムデータを書き換えるべき装置が複数台ある場合はその手間が多大なものとなってしまう。
【０００６】また、プログラムデータを書き換える際、そのデータ量が大きかった場合は、書き換えを行っている最中は長時間装置を使用できないといった問題が生じてしまう。
【０００７】本発明は、このような状況のもとでなされたもので、機能の追加，変更を設定されたタイミングで効率的に行うことができるデータ処理装置、その制御方法、この制御方法を実現するためのプログラムを格納した記憶媒体、画像処理複合装置を提供することを目的とするものである。
」（第３頁第３欄第３行〜同頁同欄第４１行）
「【００３１】
【発明の実施の形態】以下、本発明の実施形態を“画像処理複合装置”の実施例をもとにして詳細に説明する。
【００３２】　図１は、本発明の一実施例である“画像処理複合装置”の構成を示すブロック図である。リーダ部１は原稿の画像を読み取り、画像に応じたデータをプリンタ部２及び画像入出力制御部３へ出力する。プリンタ部２はリーダ部１及び画像入出力制御部３からの画像データに応じた画像を記録紙上に記録する。画像入出力制御部３はリーダ部１に接続されており、ファクシミリ部４，ファイル部５，ネットワーク・インタフェース部７，フォーマッタ部８，イメージメモリ部９，コア部１０などからなる。この画像入出力制御部３内の各部４，５，７，８，９及び１０は、各機能を実現するために必要なパーツが各１枚のボードに備えられている。また、画像入出力制御部３を接続せずに、リーダ部１とプリンタ部２のみでもローカルなディジタル複写機として動作させることが可能である。
【００３３】ファクシミリ部４は、電話回線を介して受信した圧縮画像データを伸長し、伸長された画像データをコア部１０へ転送し、又、コア部１０から転送された画像データを圧縮し、圧縮された画像データを電話回線を介して送信する。ファクミリ部４にはハードディスク１２が接続されており、受信した圧縮画像データを一時的に保存することができる。
【００３４】ファイル部５には光磁気ディスク・ドライブユニット６が接続されており、ファイル部５は、コア部１０から転送された画像データを圧縮し、その画像データを検索するためのキーワードとともに光磁気ディスク・ドライブユニット６にセットされた光磁気ディスクに記憶させる。又、ファイル部５は、コア部１０を介して転送されたキーワードに基づいて光磁気ディスクに記憶されている圧縮画像データを検索し、検索された圧縮画像データを読み出して伸長し、伸長された画像データをコア部１０へ転送する。
【００３５】ネットワーク・インターフェイス部７は、ＬＡＮ（ローカル・エリア・ネットワーク）ケーブル１３に接続されており、同じくＬＡＮケーブル１３に接続されているパーソナルコンピュータまたはワークステーション（ＰＣ／ＷＳ）１１およびファイルサーバ１４とコア部１０との間のインターフェイスの役割をになう。
【００３６】フォーマッタ部８は、ＰＣ／ＷＳ１１から転送された画像を表すコードデータをプリンタ部２で記録できる画像データに展開するものであり、イメージメモリ部９は、ＰＣ／ＷＳ１１から転送されたデータを一時的に記憶するものである。
【００３７】コア部１０については後述するが、コア部１０は、リーダ部１，ファクシミリ部４，ファイル部５，ネットワーク・インターフェイス部７，フォーマッタ部８，イメージメモリ部９のそれぞれの間のデータの流れを制御するものである。」（第４頁第５欄第４５行〜同頁第６欄第４５行）
「【００４１】　図３は、リーダ部１のブロック図である。
【００４２】　ＣＣＤ１０９から出力された画像データは、Ａ／Ｄ・ＳＨ部１１０でアナログ／デジタル変換が行われるとともに、シェーディング補正が行われる。Ａ／Ｄ・ＳＨ部１１０によって処理された画像データは、画像処理部１１１を介してプリンタ部２へ転送されるとともに、インターフェイス１１３を介して画像入出力制御部３のコア部１０へ転送される。ＣＰＵ１１４は、操作部１１５で設定された設定内容に応じて画像処理部１１１及びインターフェイス１１３を制御する。例えば、操作部１１５でトリミング処理を行って複写を行う複写モードが設定されている場合は、画像処理部１１１でトリミング処理を行わせてプリンタ部２へ転送させる。また、操作部１１５でファクシミリ送信モードが設定されている場合は、インターフェイス１１３から画像データと設定されたモードに応じた制御コマンドをコア部１０へ転送させる。このようなＣＰＵ１１４の制御プログラムはメモリ１１６に記憶されており、ＣＰＵ１１４はメモリ１１６を参照しながら制御を行う。また、メモリ１１６はＣＰＵ１１４の作業領域としても使われる。」（第５頁第７欄第３７行〜同頁第８欄第６行）
「【００４３】図４はコア部１０のブロック図である。
【００４４】リーダ部１からの画像データは、データ処理部１２１へ転送されるとともに、リーダ部１からの制御コマンドはＣＰＵ１２３へ転送される。データ処理部１２１は画像の回転処理や変倍処理などの画像処理を行うものであり、リーダ部１からデータ処理部１２１へ転送された画像データは、リーダ部１から転送された制御コマンドに応じて、インターフェイス１２０を介してファクシミリ部４、ファイル部５、ネットワーク・インターフェイス部７へ転送される。また、ネットワーク・インタフェイス部７を介して入力された画像を表すコードデータは、データ処理部１２１に転送された後フォーマッタ部８へ転送されて画像データに展開され、この画像データはデータ処理部１２１に転送された後、ファクシミリ部４やプリンタ部２へ転送される。
【００４５】ファクシミリ部４からの画像データは、データ処理部１２１へ転送された後、プリンタ部２やファイル部５，ネットワーク・インターフェイス部７へ転送される。また、ファイル部５からの画像データは、データ処理部１２１へ転送された後、プリンタ部２やファクシミリ部４，ネットワーク・インターフェイス部７へ転送される。
【００４６】ＣＰＵ１２３は、メモリ１２４に記憶されている制御プログラム、及びリーダ部１から転送された制御コマンドに従って前述のような制御を行う。また、メモリ１２４はＣＰＵ１２３の作業領域としても使われる。このように、コア部１０を中心に、原稿画像の読み取り、画像のプリント，画像の送受信，画像の保存，コンピュータからのデータの入出力などの機能を複合させた処理を行うことが可能である。
【００４７】また、操作部１１５、ファクシミリ部４またはネットワーク・インターフェース部７から各オプションボード毎の制御プログラム更新（追加）のタイミングなどの設定をメモリ１２４に対して行うことができる。」（第５頁第８欄第７行〜同頁同欄第４１行）
「【００４８】　ここで設定する情報の詳細を図５に示す。ここで設定する項目としては、オプションボード名５０１，開始日５０２，時間５０３，間隔５０４，回数５０５，現バージョン５０６である。オプションボード名５０１の各項目に関してはオペレータによる入力／設定の必要はなく、各オプションボードが装着されていることをコア部１０が検出すると各オプションボードの名前を自動的にリストアップする。開始日５０２は、繰り返し間隔で行われるバージョンアップサイクルの、始まりの日を入力する。時間５０３はバージョンアップが行われる時間を入力する。間隔５０４はバージョンアップのサイクルを設定する項目で、１回だけのバージョンアップを行う場合は“なし”の設定を行い、複数回のバージョンアップを行う場合、日，週，月などの単位で設定を行う。回数５０５は繰り返し間隔で５０４で設定された間隔で何回バージョンアップを行うかを設定する。５０４で“なし”にした場合は自動的に０となりそれ以外の場合、繰り返しの回数を入力する。回数を特に定めない場合は“連続”を選択する。もしバージョンアップの日時がまったくの同一の場合や時間が接近している場合、実際のバージョンアップの際にあらかじめ設定された優先順位にそって適切に処理される。また、複数のオプションボードを連動させてバージョンアップさせる場合は、あらかじめ設定された優先順位の高い方のタイミングに従う。現バージョン５０６は、現在記憶されているプログラムのバージョンである。この項目はオペレータによる入力／設定の必要はなく最新のプログラムダウンロード時にそのプログラムのバージョンが自動的に設定される。なお、この図５に示した情報は所定の操作で操作部１１５に表示させたり、外部に出力することが可能である。また、バージョンアップの開始日時は装置の動作状態に応じるようにしてもよい。」（第５頁第８欄第４２行〜第６頁第９欄第２３行）
「【００４９】図６は、プログラムデータのバージョンアップのタイミングを設定するルーチンの処理の流れを示すフローチャートである。このフローチャートはメモリ１２４に格納されたプログラムに基づきＣＰＵ１２３が行う処理の流れを示す。ここではネットワーク・インタフェース部７を介してタイミングを設定する場合について説明するが、ファクシミリ部４や操作部１１５から設定する場合も略々同様の流れで行う。このルーチンはネットワーク・インタフェース部７を介して所定のコマンドが入力された場合、また操作部１１５で所定の操作を行うことによって実行される。
【００５０】ステップＳ６０２において、ネットワーク・インタフェース部７を介してのオプションボードのバージョンアップを有効にするかどうかの選択をネットワーク・インタフェース部７経由または操作部１１５から行う。このネットワークバージョンアップを有効にしない場合は、Ｓ６０３でネットワークバージョンアップフラグをＯＦＦにしてＳ６０４でこのルーチンを終了する。
【００５１】Ｓ６０２において、ネットワークバージョンアップを有効にした場合は、Ｓ６０５に移行し、Ｓ６０５において、今すぐにネットワークバージョンアップを行うかどうかの選択をネットワークインタフェイス部７または操作部１１５から行う。直ちにバージョンアップする選択がなされた場合は、Ｓ６０６に移行して、バージョン更新のためのルーチンが呼び出され、所定の手順にそって順次バージョンアップが行われてＳ６０７に移行する。またＳ６０５において直ちにバージョンアップする選択がされない場合はＳ６０７に移行する。
【００５２】Ｓ６０７においてネットワークバージョンアップを行うタイミングの設定変更を行うか否かの選択を行い、設定を変更する場合Ｓ６０８の設定変更ルーチンの実行により、図５に示すような項目が設定されＳ６０９に移行する。変更しない場合は直ちにＳ６０９に移行する。
【００５３】そしてステップＳ６０９において、Ｓ６０８で変更された内容を有効にするかどうかの選択をネットワークインターフェース部７または操作部１１５から行い、有効にしない場合はＳ６０４に移行し、有効にする場合Ｓ６１０に移行して設定の保存を行う。Ｓ６１１においてネットワークバージョンアップフラグをＯＮにしてＳ６０４でこのルーチンを終了する。」（第６頁第９欄第２４行〜同頁第１０欄第１５行）
「【００５４】図７は、ネットワークバージョンアップ実行ルーチンの処理の流れを示すフローチャートであり、画像入出力制御部３の電源がＯＮにされると同時にコア部１０にて常時実行されるルーチンである。Ｓ７０２においてネットワークバージョンアップフラグの判断を行い、ＯＦＦの場合はＳ７０３でこのルーチンを終了する。フラグがＯＮの場合、Ｓ７０４に移行し、図５に例を示したように設定したタイミングにあるかどうかの判断を行う。バージョンアップタイミングが一致したオプションボードがある場合、ＬＡＮ１３上のＰＣ／ＷＳ１１またはファルサーバ１４（バージョンアップ用データを保持している装置）にタイミング到来を通知し、Ｓ７０５に移行して、該当するオプションボードのネットワークバージョンアップをファームウエアあるいはソフトウエアのプログラムデータのダウンロードにより実行したのちＳ７０３でこのルーチンを終了する。タイミングが一致したオプションボードが１つもない場合は直ちにＳ７０３に移行してこのルーチンを終了する。」（第６頁第１０欄第１６行〜同頁同欄第３３行」
「【００５５】次にＳ７０５のバージョン更新ルーチンのついて説明する。図８はバージョン更新ルーチンの処理の流れを示すフローチャートである。このフローチャートも
メモリ１２４に格納されたプログラムに基づきＣＰＵ１２３が行う処理の流れを
示すものである。
【００５６】まず、ステップＳ８０２において更新すべきプログラムデータ（設定された更新タイミングが到来したプログラムデータ）に基づき該当するオプションボードを解析する。そして、ステップＳ８０３では更新対象となるオプションボードに係る処理を禁止するフラグをＯＮにする。なお、ここではメインボードとなるコア部１０については、例えばファクシミリ機能に関する更新であればファクシミリ機能に係る処理のみ禁止し、他の機能については動作するようになっているものとする。ただし、コア部１０全体の制御プログラムの更新を行う場合は装置全体の処理を禁止する。
【００５７】該当オプションボードの処理動作が正常に停止していることを確認すると、次に、ステップＳ８０４ではネットワークインタフェース部７を介してＬＡＮ１３上のＰＣ／ＷＳ１１またはファイルサーバ１４から更新すべきプログラムデータを入力する。このとき該当オプションボードはバージョンアップのスタンバイ状態となっている。そして、このプログラムデータを各ボードのメモリに記憶し、更新する。これをステップＳ８０６で終了したと判断するまで処理を繰り返す。
【００５８】データの更新が終了すると、ステップＳ８０７で更新したデータのバージョン情報，更新日時などの更新情報を記憶しておく。そして、ステップＳ８０８では、ステップＳ８０３でＯＮした禁止フラグをＯＦＦにし、Ｓ８０９で終了する。なお、プリンタ部２のバージョンアップはプリンタエンジン部分の電源がＯＦＦのときに行う。」（第６頁第１０欄第３４行〜第７頁第１１欄第１５行）
「【００５９】以上説明したように、本実施例によれば、メインボード（コア部１０）と複数のオプションボードから成る画像処理複合装置の内部はもしくは外部処理装置（画像入出力制御部３）において、ワークステーション等に接続するネットワーク・インターフェイス部７、コードデータをビットマップメモリ上に展開するフォーマッタ部８、ビットマップデータもしくはコードデータを公衆回線を通じて送受信を行うファクシミリ部４、その他データの処理内容ごとに機能が分割されているコア部１０の各種データ処理手段、前記各々の処理手段を統括して制御を行うＣＰＵ１２３を備え、各種処理手段を動作させるファームウェアもしくはソフトウェアの最新のデータを、ネットワーク上のサーバに格納しておき、前記ＣＰＵ１２３は、あらかじめ設定されたタイミングで前記ネットワーク・インターフェース部７を介し、前記データを入力し、前記ＣＰＵ１２３が該当オプションボードのバージョンアップなどを行うことによって、装置が使用されていない状況下（例えば夜中，休日など）で人為的な介在なしに自動的にバージョンアップを行うことが可能となる。
【００６０】また、ネットワーク上に実施例と同様な装置が接続されていれば、続けてバージョンアップを行うようにしてもよい。
【００６１】本発明は、複数の機器（たとえばホストコンピュータ，インタフェース機器，リーダ，プリンタ等）から構成されるシステムに適用しても一つの機器（たとえば複写機、ファクシミリ装置）からなる装置に適用してもよい。
【００６２】また前述した実施形態の機能を実現すべく、各種のデバイスを動作させる様に該各種デバイスと接続された装置あるいはシステム内のコンピュータに、前記実施形態機能を実現するためのソフトウエアのプログラムコードをネットワークを介して、或は記憶媒体を介して供給し、そのシステムあるいは装置のコンピュータ（ＣＰＵあるいはＭＰＵ）を、供給されたプログラムに従って動作させることによって実施するものも本発明の範疇に含まれる。
【００６３】例えば、メモリ１２４に格納されたプログラムデータを光磁気ディスク等の着脱可能な記憶媒体に記憶させ、このデータを適用可能な他の装置に供給し、容易
に本発明の機能を実現することができる。
【００６４】また、この場合、前記ソフトウエアのプログラムコード自体が前述した実施形態の機能を実現することになり、そのプログラムコード自体、及びそのプログラムコードをコンピュータに供給するための手段、例えばかかるプログラムコードを格納した記憶媒体は本発明を構成する。
【００６５】かかるプログラムコードを格納する記憶媒体としては、例えばフロッピーディスク，ハードディスク，光ディスク，光磁気ディスク，ＣＤ−ＲＯＭ，磁気テープ，不揮発性のメモリカード，ＲＯＭ等を用いることができる。
【００６６】またコンピュータが供給されたプログラムコードを実行することにより、前述の実施形態の機能が実現されるだけではなく、そのプログラムコードがコンピュータにおいて稼働しているＯＳ（オペレーティングシステム）、あるいは他のアプリケーションソフト等と共同して前述の実施形態の機能が実現される場合にも係るプログラムコードは本発明の実施形態に含まれることは言うまでもない。
【００６７】更に供給されたプログラムコードが、コンピュータの機能拡張ボードやコンピュータに接続され機能拡張ユニットに備わるメモリに格納された後、そのプログラムコードの指示に基づいてその機能拡張ボードや機能格納ユニットに備わるＣＰＵ等が実際の処理の一部または全部を行い、その処理によって前述した実施形態の機能が実現される場合も本発明に含まれることは言うまでもない。
【００６８】
【発明の効果】以上説明したように、本発明によれば、機能の追加，変更を設定されたタイミングで効率的に行うことができる。」（第７頁第１１欄第１６行〜同頁第１２欄第３７行）
　と、記載されている。
　
　これらの記載によれば、引用刊行物１には、
「ＬＡＮ（ローカル・エリア・ネットワーク）ケーブル１３と、ネットワーク・インターフェイス部７と、リーダ部１と、前記リーダ部１に接続されたプリンタ部２と、ファクシミリ部４と、ファイル部５と、フォーマッタ部８と、イメージメモリ部９、インターフェイス１２０と、インターフェイス１２２と、ファイルサーバ１４と及びコア部１０とを有する画像処理複合装置において、
　前記ネットワーク・インターフェイス部７は、前記ＬＡＮ（ローカル・エリア・ネットワーク）ケーブル１３に接続されており、前記ＬＡＮ（ローカル・エリア・ネットワーク）ケーブル１３に接続されている前記ファイルサーバと前記コア部１０との間のインターフェイスの役割をにない、
　前記インターフェイス１２０は、前記ファクシミリ部４と、前記ファイル部５と、前記フォーマッタ部８と、前記イメージメモリ部９、前記コア部１０との接続を行い、前記インターフェイス１２２は、前記リーダ部１との接続を行い、
　前記ファクシミリ部４、前記ファイル部５、前記ネットワーク・インターフェイス部７、前記フォーマッタ部８，前記イメージメモリ部９及び前記コア部１０は各々１枚のボードに備えられ、前記コア部１０をメインボードとし、さらに、前記ボードは、リーダ部１、プリンタ部２を含めてオプションボードとし、
　前記コア部１０は、前記リーダ部１、前記ファクシミリ部４、前記ファイル部５、前記ネットワーク・インターフェイス部７、前記フォーマッタ部８、前記イメージメモリ部９のそれぞれの間のデータの流れを制御し、
　さらに、前記コア部１０は、前記オプションボードで、バージョンアップタイミングにあるものがある場合、前記ＬＡＮ（ローカル・エリア・ネットワーク）ケーブル１３に接続された前記ファイルサーバ１４に対して、バージョンアップのタイミング到来を通知し、該当するオプションボードのバージョンアップをファームウエアのダウンロードにより実行し、このファームウエアを各ボードのメモリに記憶し、更新する画像処理複合装置。」の発明（以下「引用刊行物１発明」という。）が記載されているものと認めることができる。
　
　
　３．対比
　
　そこで、本願発明と引用刊行物１発明とを比較すると、引用刊行物１発明の「ネットワーク・インターフェイス部７」はＬＡＮ（ローカル・エリア・ネットワーク）ケーブル１３に接続されており、ネットワークとの接続を行っているから、本願発明の「ネットワークとの接続を行うインタフェース部」に相当する。以下、同様に、「リーダ部１」と、「リーダ部１に接続されたプリンタ部２」と、「ファクシミリ部４」と、「ファイル部５」と、「フォーマッタ部８」と、「イメージメモリ部９」のそれぞれは「周辺機器」に、「インターフェイス１２０」及び「インターフェイス１２２」は「周辺機器との接続を行うインタフェース部」に、「ファイルサーバ１４」は「サーバ」に、「メモリ」は「記憶部」に、それぞれ相当する。
　引用刊行物１発明の「コア部１０」は、サーバとのデータ通信を制御していることから、本願発明の「通信制御装置」に相当する。
　引用刊行物１発明の「コア部１０」は、「バージョンアップのタイミング到来を通知」するという機能を有し、新しいバージョンのファームアップを要求することから、本願発明の「送信手段」に相当する手段を有するということができる。
　引用刊行物１発明の「コア部１０」は、「該当するオプションボードのバージョンアップをファームウェアのダウンロードにより実行」するという機能を有し、サーバーから転送されるファームウェアを受信することから、本願発明の「受信手段」に相当する手段を有するということができる。
　引用刊行物１発明の「コア部１０」は、「このファームウエアを各ボードのメモリに記憶し、更新する」という機能を有することから、本願発明の「ファームウェアを記憶部に書き込む書き込み手段」に相当する手段を有しているということができる。
　
　すわなち、両者は、
「ネットワークとの接続を行うインタフェース部と周辺機器との接続を行うインタフェース部とを有し、ネットワークを介してサーバとのデータ通信処理をする通信制御装置であって、
　新しいバージョンのファームウェアを要求する情報要求を、前記サーバへ送信する送信手段と、
　前記送信手段による情報要求に応じて前記サーバから転送されるファームウェアを受信する受信手段と、
　前記受信手段により受信されたファームウェアを記憶部に書き込む書き込み手段とを有することを特徴とする通信制御装置。」の点で一致し、以下の点で相違している。
　
　
［相違点１］本願発明では、情報要求を、情報要求パケットに組み立ててパケットとして送信しているのに対し、引用刊行物１発明では、情報要求を、情報要求パケットに組み立ててパケットとして送信していることが記載されていない点。
　
［相違点２］本願発明では、通信制御装置が、予め内部に保持していたサーバアドレス宛てに送信しているのに対し、引用刊行物１発明では、通信制御装置が、予め内部に保持していたサーバアドレス宛に送信しているか記載されていない点。
　
　
４．当審の判断
　
　［相違点１］について
　サーバと周辺装置間の通信をパケットで行うことは、例えば、特開平７−２１９７２９号公報（例えば、段落【００６３】参照。）及び特開平８−３２９０５８号公報（例えば、段落【００３９】参照。）に示されるように、周知であって、所定の通信プロトコル（例えば、ＦＴＰ）に対応したパケットを組み立てることは、当然のことである。
　したがって、引用刊行物１発明において、上記周知技術のように、情報要求を、情報要求パケットに組み立てて、本願発明のように構成することは、当業者が適宜なし得ることである。
　
　［相違点２］について
　周辺機器がサーバに情報を通知する際に、予め内部に保持していた送信先のサーバアドレスを用いて送信することは、例えば、特開平６−３２４８２３号公報（段落【００３２】参照。）に示されるように、周知である。
　したがって、引用刊行物１発明において、上記周知技術のように、通信制御装置が、予め内部に保持していたサーバアドレス宛に送信して、本願発明のように構成することは、当業者が容易に想到し得ることである。
　
　　そして、本願発明の作用効果も、引用刊行物１発明及び周知技術から当業者が予測できる範囲のものである。
　
　
５．むすび
　
　以上のとおり、本願発明は、引用刊行物１発明及び周知技術に基づいて、当業者が容易に発明をすることができたものであるから、特許法第２９条２項の規定により特許を受けることができない。
　
　
　よって、結論のとおり審決する。